(57)【要約】【課題】故障や寿命により、侵入者検知装置の交換が必要になったときの、新しい検知装置側での機能設定ミスを減らし、設定作業の効率を上げる。【解決手段】侵入者検知装置固定用のベース１０と、このベースに固定される侵入者検知装置本体２０とで構成される侵入者検知装置において、ベース１０に突起部の集まりであるスイッチ設定部１１を、検知装置本体２０にスイッチの集まりであるスイッチ部２１を設け、検知装置本体２０をベース１０に固定すると、スイッチ設定部１１の突起部の状態により、スイッチ部２１を構成する個々のスイッチの操作ボタンが切り替わるようにした。このスイッチ部２１により、検知装置本体内の出力形態の設定や、アドレスの設定などの、システム設計時に決定され、その後変更されることの少ない設定が完了する。【選択図】図２
2004295545.tif 000002
【特許請求の範囲】
【請求項１】
外部の電源装置と結ばれる電源用配線や、外部の制御装置と結ばれる信号用配線を接続する端子台と、侵入者検知装置本体との間で、電源と信号の受け渡しをおこなう接続機構とを備えた侵入者検知装置固定用のベースと、前記ベースに固定される侵入者検知装置本体とで構成される侵入者検知装置であって、前記ベースには、必要に応じ凸状態又は凹状態で固定することのできる突起部を備え、前記侵入者検知装置本体には、前記ベースに固定したときに、前記突起部に接触し、突起部の凸状態又は凹状態に応じて切り替わるスイッチを設け、前記スイッチにより侵入者検知装置の機能設定がおこなわれるようにしたことを特徴とする侵入者検知装置。
【請求項２】
前記スイッチは、前記侵入者検知装置本体を前記ベースから取り外した後でも、設定状態が保持されるものであることを特徴とする請求項１に記載の侵入者検知装置。
【発明の詳細な説明】
【０００１】
【発明の属する技術分野】
本発明は、侵入者検知装置固定用のベースと、このベースに固定される侵入者検知装置本体とで構成される侵入者検知装置に関するものであり、特に、侵入者検知装置の機能設定をおこなうスイッチ部の構造に関するものである。
【０００２】
【従来の技術】
侵入者検知装置は、多様なシステムに対応させるため、また、設置時あるいは設置後のメンテナンス時の調整作業の効率を上げるために、いろいろな機能を備えており、それらの機能を、装置本体内に設けられたスイッチを切り替えて設定するようになっている。例えば、動作表示灯やメモリー表示灯のオン、オフ設定、感度の設定、警報信号や、検知装置内で発生した異常を報知する各種信号の出力形態の設定などである。また、検知信号の出力形態として、無電圧の接点信号出力と、その検知装置のアドレスデータやその他の状態信号を含むデータ信号出力との両方の出力形態を備えたものも存在しており、そのような検知装置の場合には、出力形態の設定やアドレスの設定等がおこなわれる。
【０００３】
【発明が解決しようとする課題】
これらの設定スイッチは、すべて検知装置本体内に装備されているので、取り付ける際に、装置のカバーを開けて、すべてのスイッチの状態を確認しながら、必要に応じて切り替えていかなければならない。いったん取り付けて、運用が開始された後で、その検知装置の故障や、寿命により、交換が必要となった場合には、新しい検知装置において、まったく同じ設定作業を最初からおこなわなくてはならない。
【０００４】
【課題を解決するための手段】
本発明では、設定スイッチのうち、特定のものについては、検知装置本体をベースに固定したときに、ベース側にて設定した状態に応じて切り替わるスイッチとし、このスイッチにより侵入者検知装置の特定の機能の設定がおこなわれるようにした。
【０００５】
【発明の実施の形態】
図１は、本発明の侵入者検知装置の構成を示したものであり、検知装置本体２０の本体カバー３０を開けた状態を示している。検知装置本体２０は、ベース１０に固定されている。ベース１０は、外部の電源装置と結ばれる電源用配線や、外部の制御装置と結ばれる信号用配線を接続する端子台と、侵入者検知装置本体との間で、電源と信号の受け渡しをおこなう接続機構とを備えており、天井面や壁面等に固定される。検知装置本体２０の本体カバー３０を開けたときに露出する部分には、侵入者検知装置の感度などを設定するスイッチ（図示省略）が配置され、必要に応じこれらのスイッチを切り替えるようになっている。
【０００６】
図２は、ベース１０に検知装置本体２０を取り付ける前の状態を示したものである。検知装置本体２０の本体カバー３０は、図１と同様に、開けられている。１１は、スイッチ設定部であり、ベース１０に設けられた突起部の集まりである。２１はスイッチ部であり、検知装置本体２０に設けられたスイッチの集まりである。検知装置本体２０をベース１０に固定すると、スイッチ部２１を構成する個々のスイッチの操作ボタンがスイッチ設定部１１の突起部に接触し、それらの突起部の状態に従って切り替えられる。
【０００７】
図３は、スイッチ設定部１１とスイッチ部２１の接触部分を拡大して示した図である。スイッチ設定部１１は、必要に応じ凸状態又は凹状態で固定することのできる４個の突起部で構成されており、凸状態で固定された突起部が、スイッチ部を構成するスイッチの操作ボタンを押さえ込むことにより、そのスイッチが切り替えられる。図は、（ａ）、（ｂ）、（ｃ）の、３とおりの設定に応じて検知装置本体２０のスイッチが切り替えられる様子を示している。
【０００８】
図４は、スイッチ設定部１１の他の実施形態を示した図である。１列に並べられた４個の突起部が、個別に、その列に対して垂直の方向に移動可能な構造としたものである。図５は、この突起部の拡大図である。４個の樹脂等の成形の駒Ｋ１〜Ｋ４が図の矢印の方向に移動可能となっており、移動後その場所にて固定されるようになっている。検知装置本体２０側のスイッチ部のスイッチは、４個の突起部に対応する位置に、４個一列に並べて配置されている。４個のスイッチの操作ボタンＳ１〜Ｓ４は、スイッチ内部のバネの力により外部に飛び出しており、この操作ボタンが一定の位置まで押し込まれると接点が切り替わるようになっている。操作ボタンに加える力がなくなると、内部のバネの力により元の状態に戻され、スイッチが復旧する。
【０００９】
本実施形態における侵入者検知装置は、検知信号の出力形態として、無電圧の接点信号出力と、その検知装置のアドレスデータやその他の状態信号を含むデータ信号出力との両方の出力形態を備えたものであり、ベース１０のスイッチ設定部１１にて、この出力形態の設定と、アドレスの設定をおこなうようにしてある。駒Ｋ１の設定により、接点信号出力とデータ信号出力との切替がおこなわれ、駒Ｋ２〜Ｋ４の設定により、アドレスの設定がおこなわれる。本実施形態ではアドレス設定用の駒は３個であるが、必要に応じて増加してもよい。
【００１０】
本発明の侵入者検知装置を用いた侵入警報システムを設置する場合、まず、そのシステムの検知信号の出力形態を決定する。そして、データ信号出力を、そのシステムに用いられる侵入者検知装置の出力形態として選択する場合には、そのシステム内での個々の侵入者検知装置のアドレスの割り当てを決める。実際の設置現場において、所定の位置にベース１０を取り付け、配線を完了させる。検知装置本体を取り付ける前に、ベース１０の駒Ｋ１〜Ｋ４を動かして、出力形態と、割り当てられたアドレス番号を設定する。検知装置本体２０を取り付けるとスイッチ部２１が切り替わり、予定された設定が完了する。次に、本体カバー３０を開け、検知装置本体内の設定スイッチを必要に応じて設定する。例えば、検知装置の感度を、初期設定値（工場出荷時に予め設定してある値）より高めにしたり、低めにしたり、その設置現場に合わせた調整をおこなう。この一連の設定を、そのシステムに用いられるすべての侵入者検知装置についておこなう。このような設定が終わり、本体カバー３０を閉めて侵入警報システムの運用が開始される。
【００１１】
運用開始後、そのシステムの侵入者検知装置の故障や、寿命により、交換が必要となった場合には、古い侵入者検知装置をベース１０から取り外し、新しい侵入者検知装置を取り付け、検知装置本体内の設定スイッチを必要に応じて設定することになる。システム構成に変更がない限り、ベース１０を交換する必要も、スイッチ設定部１１の変更操作も不要となる。検知装置本体内の出力形態の設定と、アドレスの設定は、検知装置本体を、それまで使われていたベース１０に固定するだけで、自動的に完了することになる。
【００１２】
以上の実施形態におけるスイッチ部２１は、操作ボタンに加える力がなくなると内部のバネの力により元の状態に戻され、スイッチの接点が復旧するタイプのもので構成されており、侵入者検知装置をベース１０から取り外すと、検知装置の設定状態がクリアされ、初期状態に戻ってしまう。スイッチ部２１のスイッチを、駒Ｋ１〜Ｋ４の位置に応じて切り替えられるシーソスイッチにすると、ベース１０側の駒の設定がそのまま保持されて、検知装置の設定状態は、取り外す前の状態に維持されることになる。侵入者検知装置が故障したときには、設置現場から取り外して、メーカーの修理部門にて症状を確認し修理することになり、設定がそのまま保持されるようになっていれば、設定状態の伝達用として、伝票等特別な記述物を用いる必要がなくなる。侵入者検知装置の電源が切られるときに、設定状態が内部のメモリーに自動的に記憶されるようにしてもよい。
【００１３】
【発明の効果】
本発明の侵入者検知装置によれば、検知装置本体内の出力形態の設定や、アドレスの設定などの、システム設計時に決定され、その後変更されることの少ない設定は、検知装置本体を、ベースに固定するだけで、自動的に完了することになる。施工前に、ベースにてこの設定を済ませておけば、その後は、侵入者検知装置本体側の設定にのみ、作業者が集中することになり、設定ミスを減らすことができる。侵入者検知装置の故障や、寿命により、交換が必要となった場合は、古い侵入者検知装置をベースから取り外し、新しい侵入者検知装置を取り付け、検知装置本体内の設定スイッチを必要に応じて設定するだけでよく、システム構成に変更がない限り、ベースを交換する必要も、そのスイッチ設定部の変更操作も不要となる。
【図面の簡単な説明】
【図１】本発明の侵入者検知装置の構成を示した図である。
【図２】本発明の侵入者検知装置の構成を示した図であり、ベース１０に検知装置本体を取り付ける前の状態を示した図である。
【図３】本発明の侵入者検知装置の、スイッチ設定部１１とスイッチ部２１の接触部分の拡大図である。
【図４】本発明の侵入者検知装置の、スイッチ設定部１１の他の実施形態の図である。
【図５】図４におけるスイッチ設定部１１の突起部の拡大図である。
【符号の説明】
１０・・・ベース
１１・・・スイッチ設定部
２０・・・検知装置本体
２１・・・スイッチ部
Ｋ１，Ｋ２，Ｋ３，Ｋ４・・・駒
Ｓ１，Ｓ２，Ｓ３，Ｓ４・・・操作ボタン
【図１】
2004295545.tif 000003
【図２】
2004295545.tif 000004
【図３】
2004295545.tif 000005
【図４】
2004295545.tif 000006
【図５】
2004295545.tif 000007